(57)【要約】【課題】ユーザが興味を持った展示物に係るガイド情報を確実に再生することのできるガイドシステムを提供する。【解決手段】ガイドシステム１は，ガイド情報コードを人体通信により送信する人体通信送信手段１１０を備えた送信装置１１と，ガイド情報コードが付加された複数のガイド情報を記憶しているメモリ１０１と，ガイド情報を再生する再生手段１０２と，送信装置１１から人体通信により送信されるガイド情報コードを受信する人体通信受信手段１０３と，人体通信受信手段１０３が受信したガイド情報コードが付加されたガイド情報を再生手段で再生した後，ガイド情報を再生手段１０２で再生している間，人体通信受信手段１０３が検出している電気強度を確認し，電気強度が所定のレベル以下になると，ガイド情報の再生を終了する制御手段１００を備えた再生装置１０とから少なくとも構成される。【選択図】図２
2012090208.tif 000002
【特許請求の範囲】
【請求項１】
展示物に係るガイド情報を識別するガイド情報コードを記憶し，記憶しているガイド情報コードを人体通信により送信する人体通信送信手段を備えた送信装置と，
前記ガイド情報コードが付加された複数の前記ガイド情報を記憶しているメモリと，前記ガイド情報を再生する再生手段と，前記送信装置から人体通信により送信される前記ガイド情報コードを受信する人体通信受信手段と，前記人体通信受信手段が受信した前記ガイド情報コードが付加された前記ガイド情報を再生手段で再生した後，前記ガイド情報を前記再生手段で再生している間，前記人体通信受信手段が検出している電気強度を確認し，前記電気強度が所定のレベル以下になると，前記ガイド情報の再生を終了する制御手段を備えた再生装置と，
から少なくとも構成されることを特徴とするガイドシステム。
【請求項２】
前記再生装置の前記メモリに記憶されている前記ガイド情報には，前記ガイド情報コードに加え，前記ガイド情報に適合するユーザのユーザ属性が付加され，前記再生装置には，前記再生装置を所持するユーザのユーザ属性を取得するユーザ属性取得手段が備えられ，前記再生装置の前記制御手段は，前記人体通信受信手段が受信した前記ガイド情報コードが付加され，かつ，前記ユーザ属性取得手段が取得したユーザ属性が付加された前記ガイド情報を再生することを特徴とする，請求項１に記載のガイドシステム。
【請求項３】
前記再生装置の前記ユーザ属性取得手段は，ユーザ属性が記憶されたＩＣカードからユーザ属性を読み取る手段であることを特徴とする，請求項２に記載のガイドシステム。
【発明の詳細な説明】
【技術分野】
【０００１】
本発明は，美術館やショールームなどの施設に展示される展示物や場所などの説明を自動的に行うための技術に関する。
【背景技術】
【０００２】
美術館やショールームなど数多くの展示物を展示する施設には，展示物の説明するガイド情報を音声で流すために，展示物の近傍にいる人を検知するセンサと展示物に係るガイド情報を流すスピーカを展示物毎に設置し，該センサにて展示物の近傍にいる人を検知すると，人を検知したセンサに対応するスピーカを用いて，該センサが設置されている展示物に係るガイド情報を流すシステムが設けられていた。
【０００３】
しかし，従来のシステムでは，展示物に係るガイド情報を音声で流している間に展示物の近傍に訪れた人は，ガイド情報が終了した後でないとガイド情報を最初から聞くことができないし，展示物に係るガイド情報を聞きたくない人にとってガイド情報が煩わしいものになってしまうため，展示物のガイド情報を再生する再生装置をユーザに所持させることで，全てのユーザが最初からガイド情報を聞けるようにしたシステムが発案されている。
【０００４】
例えば，特許文献１では，展示物を識別するＩＤコードを電波発信する複数の送信装置と，送信装置から受信したＩＤコードに対応するガイド情報をスピーカあるいはイヤホーンで再生する再生装置から構成されるガイド装置が開示されている。
【０００５】
特許文献１で開示されている発明によれば，ユーザは展示物の近傍に訪れると，この展示物に対応するＩＤコードを再生装置が受信することで，この展示物に係るガイド情報を聞けるようになるが，展示物が近接している場合，ＩＤコードが混信しないように送信装置を設置することが難しく，ＩＤコードが混信してしまうことがあった。
【先行技術文献】
【特許文献】
【０００６】
【特許文献１】特開平８−２６３００６号公報
【発明の概要】
【発明が解決しようとする課題】
【０００７】
そこで，本発明は，美術館やショールームなど数多くの展示物が展示されている施設に設置されるガイドシステムであって，ユーザが興味を持った展示物に係るガイド情報を確実に再生することのできるガイドシステムを提供することを目的とする。
【課題を解決するための手段】
【０００８】
上述した課題を解決する本願発明のガイドシステムにおいて，ユーザが興味を持った展示物に係るガイド情報の識別情報を人体通信により送信できるように，ガイドシステムの送信装置は，展示物に係るガイド情報を識別するガイド情報コードを記憶し，記憶しているガイド情報コードを人体通信により送信する人体通信送信手段を備えている。
【０００９】
また，前記ガイド情報を再生するガイドシステムの再生装置は，ユーザが興味を持った展示物に係るガイド情報コードを人体通信により受信できるように，前記送信装置から人体通信により送信される前記ガイド情報コードを受信する人体通信受信手段を備え，ユーザが興味を持った展示物に係るガイド情報コードを再生できるように，前記ガイド情報コードが付加された複数の前記ガイド情報を記憶しているメモリと，前記ガイド情報を再生する再生手段と，前記人体通信受信手段が受信した前記ガイド情報コードが付加された前記ガイド情報を再生手段で再生した後，前記ガイド情報を前記再生手段で再生している間，前記人体通信受信手段が検出している電気強度を確認し，前記電気強度が所定のレベル以下になると，前記ガイド情報の再生を終了する制御手段を備えている。
【００１０】
更に，本願発明のガイドシステムにおいては，前記再生装置の前記メモリに記憶されている前記ガイド情報に，前記ガイド情報コードに加え，前記ガイド情報に適合するユーザのユーザ属性を付加し，前記再生装置に，前記再生装置を所持するユーザのユーザ属性を取得するユーザ属性取得手段を備えさせ，前記再生装置の前記制御手段は，前記人体通信受信手段が受信した前記ガイド情報コードが付加され，かつ，前記ユーザ属性取得手段が取得したユーザ属性が付加された前記ガイド情報を再生するようにすると，ユーザに応じて前記ガイド情報を変更することができるようになる。
【００１１】
前記再生装置の前記ユーザ属性取得手段の具体的な実現方法は様々考えられるが，前記ユーザ属性取得手段は，ユーザ属性が記憶されたＩＣカードからユーザ属性を読み取る手段とすると，ユーザ属性の毎に前記再生装置を用意しなくて済むようになる。
【発明の効果】
【００１２】
このように，本発明によれば，美術館やショールームなど数多くの展示物が展示されている施設に設置されるガイドシステムであって，ユーザが興味を持った展示物に係るガイド情報を確実に再生することのできるガイドシステムを提供できる。
【図面の簡単な説明】
【００１３】
【図１】本実施形態に係るガイドシステムを説明する図。
【図２】ガイドシステムを構成する送信装置と再生装置のブロック図。
【図３】再生装置がガイド情報を再生する手順を示したフロー図。
【発明を実施するための形態】
【００１４】
ここから，本発明の実施形態について，発明の技術分野に係わる当業者が，発明の内容を理解し，本発明を実施できる程度に説明する。
【００１５】
図１は，本実施形態に係るガイドシステム１を説明する図である。図１に図示したように，本実施形態に係るガイドシステム１は，人体を伝送媒体として利用する人体通信を利用したシステムで，展示物の近傍の床に埋め込まれ人体通信に対応した送信装置１１と，ガイドシステム１を利用するユーザ２が所持し人体通信に対応した再生装置１０とから少なくとも構成される。
【００１６】
本実施形態に係るガイドシステム１では，再生装置１０で再生するガイド情報を指定するガイド情報コードは送信装置１１に記憶され，ユーザ２が送信装置１１に触れると（ここでは，ユーザ２の足が送信装置１１の上に載ると），送信装置１１からガイド情報コードが人体通信により再生装置１０へ送信され，該ガイド情報コードに対応したガイド情報が再生装置１０で再生される。
【００１７】
人体通信の通信距離は数センチ程度であるため，ユーザ２が一人立つエリアに送信装置１１を設置することにより、複数のユーザ２が同一の展示物の前にいてもそれぞれがオンデマンドでガイド情報を利用することが可能になる。また，オンデマンドでガイド情報を利用することが可能であれば，ユーザ属性に応じたガイド情報を再生装置１０に記憶させ，再生装置１０を所持するユーザ２のユーザ属性に従ったガイド情報を再生装置１０で再生させることもできるようになる。
【００１８】
なお，人体通信の伝送方式としては，人の体に電極を接触させることが必要となる電流方式と，人の体に電極を接触させることが必要ない電界方式の2通りの方式があるが，本願発明では，靴を介して通信可能な電界方式を採用することが好適である。また，図１では，送信装置１１を床に埋め込んでいるが，展示物がレプリカや模型の場合，レプリカや模型に送信装置１１を埋め込むようにすることもできる。
【００１９】
図２は，ガイドシステム１を構成する送信装置１１と再生装置１０のブロック図である。図２に図示したように送信装置１１には，再生するガイド情報を示すガイド情報コードを人体通信にて送信する人体通信送信手段１１０が備えられ，再生装置１０には，送信装置１１が送信するガイド情報を受信する人体通信受信手段１０３が備えられる。
【００２０】
送信装置１１には，ユーザ２が送信装置１１に触れた時に，該ユーザ２が所持する再生装置１０で再生するガイド情報を示すガイド情報コードが記憶され，ユーザ２が送信装置１１に触れ，送信装置１１の人体通信送信手段１１０と再生装置１０の人体通信受信手段１０３が電気的に接続すると，送信装置１１に記憶されたガイド情報コードが送信装置１１から再生装置１０へ人体通信により送信される。
【００２１】
再生装置１０には，送信装置１１が送信するガイド情報を受信する人体通信受信手段１０３に加えて，再生装置１０に装着されるＩＣカードと通信するためのリーダライタ手段１０４と，複数のガイド情報を記憶しているメモリ１０１と，メモリ１０１に記憶されているガイド情報を再生する再生手段１０２と，再生装置１０を制御する制御手段１００が備えられている。
【００２２】
再生装置１０のメモリ１０１には，展示物の近く等，ガイド情報を提供する箇所毎に，箇所に応じたガイド情報がメモリ１０１に記憶され，メモリ１０１に記憶されるガイド情報のメタデータにはガイド情報コードが付加され，このガイド情報コードは，ガイド情報を再生するときにユーザ２が触れる送信装置１１に記憶されているガイド情報コードと対応付けがなされている。
【００２３】
また，本実施形態では，再生装置１０を所持するユーザ２のユーザ属性（国籍や年齢）に合わせたガイド情報を再生できるように，ガイド情報を提供する箇所毎に，ユーザ属性の種別に対応した複数のガイド情報がメモリに記憶され，ガイド情報コードに加えて，ユーザ属性の種別がガイド情報のメタデータに付加されている。
【００２４】
再生装置１０を所持するユーザ２のユーザ属性（国籍や年齢）に合わせたガイド情報を再生できるようにすることで，例えば，海外の人に対しては，海外の人の母国語のガイド情報を提供できるようになる。
【００２５】
再生装置１０に備えられた再生手段１０２は，メモリ１０１に記憶しているガイド情報を再生する手段で，再生手段１０２の具体的な内容はガイド情報の種別に依存する。ガイド情報が文字や絵柄の場合，再生手段１０２はディスプレイになり，また，ガイド情報が音声の場合，再生手段１０２は音声を再生し出力する手段になる。
【００２６】
再生装置１０のリーダライタ手段１０４は，再生装置１０を所持するユーザ２からユーザ属性を取得するユーザ属性取得手段として機能する手段で，本実施形態において，再生装置１０を所持するユーザ２のユーザ属性はＩＣカード１０５に記憶され，再生装置１０のリーダライタ手段１０４は，再生装置１０に装着されたＩＣカード１０５からユーザ属性を読み取る動作を行う。
【００２７】
再生装置１０の制御手段１００は，ＣＰＵ，ＲＡＭ，ＲＯＭなどが実装された手段で，制御手段には，ガイド情報を再生する手順が実行するためのコンピュータプログラムが実装されている。
【００２８】
図３は，再生装置１０がガイド情報を再生する手順を示したフロー図である。再生装置１０を所持するユーザ２が，美術館などの施設に設置されている一つの送信装置１１に触れると，送信装置１１の人体通信送信手段１１０と再生装置１０の人体通信受信手段１０３が電気的に接続し，再生装置１０の人体通信受信手段１０３は，ユーザ２が触れた送信装置１１からガイド情報コードを人体通信により受信する（Ｓ１）。
【００２９】
送信装置１１からガイド情報コードを受信すると，再生装置１０の制御手段１００は再生するガイド情報として，送信装置１１から送信されたガイド情報コードと，ＩＣカード１０５がリーダライタ１０４に装着された時点で該ＩＣカード１０５から読み出したユーザ属性がメタデータに付加されたガイド情報を選択し（S２），選択したガイド情報を再生手段１０２で再生する（S３）。
【００３０】
ガイド情報を再生手段１０２で再生開始すると，再生装置１０の制御手段１００は，ガイド情報を再生手段１０２で再生している間，人体通信受信手段１０３が検出している電気強度（例えば，電荷強度）を確認し（Ｓ４），電気強度が所定のレベル以下になると，ガイド情報の再生を終了し（Ｓ５），この手順を終了する。
【００３１】
なお，再生装置１０の制御手段１００が，ガイド情報を再生手段１０２で再生開始すると，再生装置１０の制御手段１００は，ガイド情報を再生手段１０２で再生している間，人体通信受信手段１０３が検出している電気強度を確認するのは，電気強度によりユーザ２が送信装置１１からは離れたことを確認するためである。
【００３２】
このように，本発明によれば，ユーザ２が興味を持った展示物のガイド情報を確実に再生することのでき，更に，ユーザ２に応じたガイド情報を再生できるガイドシステム１を提供できる。
【符号の説明】
【００３３】
１    ガイドシステム
１０  再生装置
１００  制御手段
１０１  メモリ
１０２  再生手段
１０３  人体通信受信手段
１０４  リーダライタ手段
１０５  ＩＣカード
１１  送信装置
１１０  人体通信送信手段
２    ユーザ
３    展示物
【図１】
2012090208.tif 000003
【図２】
2012090208.tif 000004
【図３】
2012090208.tif 000005